(57)【特許請求の範囲】
【請求項１】
発泡プラスチックの断熱パネルの屋外側表面に外装下地層を設けて外装材を施工する外断熱用パネルの製造方法であって、
前記断熱パネルの屋外側表面に開口させて通気用溝を形成する型枠内に、０．５〜２．０ｍｍの孔を形成したスチレンペーパをセットし、この型枠内に予備発泡させたスチレンビーズを充填し、加熱一体化して前記スチレンペーパで前記通気用溝を覆って外装下地層とするようにしたことを特徴とする外断熱用パネルの製造方法。
【請求項２】
前記通気用溝を覆う前記スチレンペーパを、前記各通気用溝を覆うテープ状または断熱パネルの全面を覆うシート状に形成して構成したことを特徴とする請求項１記載の外断熱用パネルの製造方法。
【請求項３】
前記通気用溝の断面形状が、略円形、略楕円形、略矩形、略台形のいずれかであることを特徴とする請求項１または２に記載の外断熱用パネルの製造方法。
【請求項４】
前記通気用溝が、外壁施工時に少なくとも縦方向に配置されるとともに、横方向および／または斜め方向に配置されるよう形成して構成したことを特徴とする請求項１〜３のいずれかに記載の外断熱用パネルの製造方法。
【発明の詳細な説明】
【技術分野】
【０００１】
この発明は、外断熱用パネルの製造方法に関し、鉄筋コンクリートなどの建築物に取り付けて通気層を備える外断熱施工ができるようにしたもので、特に塗料やモルタルなどの湿式の外装材を施工しても透湿性や結露の問題が生じないようにできるものである。
【背景技術】
【０００２】
従来、鉄筋コンクリート造の集合住宅やオフィスビルなどの建築物では、省エネルギーや快適居住のため外気と接する外壁部や屋根部などを断熱材で覆って断熱性を高める断熱施工が普及しつつある。
【０００３】
このようなコンクリート建築物の断熱施工には、壁面の内側に断熱材を設ける内断熱工法と、壁面の外側に断熱材を設ける外断熱工法とがあり、これまでは、内断熱工法が主流となっている。
【０００４】
最近、建築物に対する断熱性能の向上が求められ、これまでの内断熱工法に代え、壁面の外側を断熱材で覆う外断熱工法が採用される傾向にある。
【０００５】
従来のコンクリート建築物の外断熱工法では、コンクリート壁面に断熱材を取り付け、断熱材の屋外側にモルタルや塗料などの湿式外装材を施工する、いわゆる湿式工法が主として採用され、安価で施工が容易であることから数十年の施工実績がある。
このような湿式工法の断熱材に通気溝を形成すると、施工塗布するモルタルなどが通気溝を塞いでしまうことから、通気層を備えた湿式外断熱工法は普及していない。
【０００６】
しかし、通気層のない湿式外断熱工法を寒冷地で採用しようとすると、使用する外装塗料やモルタル、あるいは断熱材の種類によっては、流入した湿流が断熱構造内に閉じ込められ、蓄積した湿流が結露を発生し、最終的には凍結して膨張する凍害などの重大な問題を引き起こす原因となる。
【０００７】
このため、これまでの湿式外断熱工法では、室内からの湿流対策として、断熱材、モルタル、塗料の透湿抵抗を考慮し、透湿抵抗が順次小さくなる材料を選定することで、流入する湿流を外気に排出できるようにする必要があった。
【０００８】
また、防水性や透湿性に優れたタイル張り外断熱工法（特許文献１）や外装材施工方法（特許文献２）が提案されている。
【特許文献１】特開２００３−１１９９９７号公報
【特許文献２】特開２００４−９２３１２号公報
【発明の開示】
【発明が解決しようとする課題】
【０００９】
しかしながら、このような透湿抵抗値の小さい外装塗料、モルタル、断熱材の種類はそう多くあるわけでなく、また、これらを組み合せても寒冷地によって使用条件などが異なることや塗料やモルタルの施工厚さによっても透湿抵抗値が変化するという問題がある。
また、防水性や透湿性に優れたタイル張り外断熱工法（特許文献１）や外装材施工方法（特許文献２）では、断熱パネルの施工やパネル自体の製作工程が多いなど必ずしも十分でなく、改良が望まれている。
【００１０】
この発明は、上記従来技術の問題点と要望に鑑みてなされたもので、コンクリートの外壁面に取り付けて湿式の外装材を施工しても透湿性や結露などの問題がなく通気性を確保することができる外断熱用パネルの製造方法を提供しようとするものである。
【課題を解決するための手段】
【００１１】
上記従来技術の課題を解決するため、この発明の請求項１記載の外断熱用パネルの製造方法は、発泡プラスチックの断熱パネルの屋外側表面に外装下地層を設けて外装材を施工する外断熱用パネルの製造方法であって、前記断熱パネルの屋外側表面に開口させて通気用溝を形成する型枠内に、０．５〜２．０ｍｍの孔を形成したスチレンペーパをセットし、この型枠内に予備発泡させたスチレンビーズを充填し、加熱一体化して前記スチレンペーパで前記通気用溝を覆って外装下地層とするようにしたことを特徴とするものである。
【００１３】
さらに、この発明の請求項２記載の外断熱用パネルの製造方法は、請求項１記載の構成に加え、前記通気用溝を覆う前記スチレンペーパを、前記各通気用溝を覆うテープ状または断熱パネルの全面を覆うシート状に形成して構成したことを特徴とするものである。
【００１４】
また、この発明の請求項３記載の外断熱用パネルの製造方法は、請求項１または２記載の構成に加え、前記通気用溝の断面形状が、略円形、略楕円形、略矩形、略台形のいずれかであることを特徴とするものである。
【００１５】
さらに、この発明の請求項４記載の外断熱用パネルの製造方法は、請求項１〜３のいずれかに記載の構成に加え、前記通気用溝が、外壁施工時に少なくとも縦方向に配置されるとともに、横方向および／または斜め方向に配置されるよう形成して構成したことを特徴とするものである。
【発明の効果】
【００１８】
この発明の請求項１記載の外断熱用パネルの製造方法によれば、発泡プラスチックの断熱パネルの屋外側表面に外装下地層を設けて外装材を施工する外断熱用パネルの製造方法で、前記断熱パネルの屋外側表面に開口させて通気用溝を形成する型枠内に、０．５〜２．０ｍｍの孔を形成したスチレンペーパをセットし、この型枠内に予備発泡させたスチレンビーズを充填し、加熱一体化して前記スチレンペーパで前記通気用溝を覆って外装下地層とするようにしたので、通気用溝を形成する型内にスチレンペーパをセットし、予備発泡したスチレンビーズを充填し、加熱して一体化する場合などにスチレンペーパに形成した孔によって蒸気の通過を確保でき、スチレンペーパで溝開口を塞いだ通気用溝を備える外断熱用パネルを一工程で簡単に成形することができる。
また、通気用溝で通気層を確保でき、これを覆うスチレンペーパで塗料やモルタルなどが溝に入り込むことを防止して湿式外装材の施工を可能とし、しかもスチレンペーパを熱融着することで発泡プラスチックの断熱パネルへの取り付けも簡単にできる。
この外断熱用パネルを用いることで、従来の通気層のない湿式外断熱工法と同一の施工方法で施工でき、新しい施工技術を必要とせず、しかも通気層を設けることができるので、モルタルや塗料などの湿式外装材の透湿抵抗による選択の必要がなく、寒冷地での施工でも結露や凍害の問題を解消することができる。
【００２０】
さらに、この発明の請求項２記載の外断熱用パネルの製造方法によれば、前記通気用溝を覆う前記スチレンペーパを、前記各通気用溝を覆うテープ状または断熱パネルの全面を覆うシート状に形成して構成したので、通気用溝を覆うスチレンペーパが各溝開口ごとに覆うテープ状やパネル全面を覆うシート状のいずれであっても通気用溝が塗料やモルタルなどで塞がれることを防止することができ、通気層を確保することができる。
【００２１】
また、この発明の請求項３記載の外断熱用パネルの製造方法によれば、前記通気用溝の断面形状が、略円形、略楕円形、略矩形、略台形のいずれかとしたので、いずれによっても通気性を確保することができるとともに、特に開口幅を小さくできる略円形、略楕円形、略台形とすることで、スチレンペーパが溝部分で撓むことを一層確実に防止することができる。
【００２２】
さらに、この発明の請求項４記載の外断熱用パネルの製造方法によれば、前記通気用溝が、外壁施工時に少なくとも縦方向に配置されるとともに、横方向および／または斜め方向に配置されるよう形成して構成したので、縦方向と横方向の組合わせによる通気用溝、縦方向と斜め方向の組み合わせによる通気用溝、縦方向と横方向と斜め方向の組み合わせによる通気用溝のいずれによっても、窓などの開口部がコンクリート外壁面にあっても通気用溝を連通させて断熱パネルを配置することができるとともに、断熱パネルを切断して繋ぎ合わせても通気性を確保することができる。
【発明を実施するための最良の形態】
【００２５】
以下、この発明の実施の形態について図面を参照して詳細に説明する。
図１は、この発明の外断熱用パネルの製造方法の一実施の形態にかかり、製造された外断熱用パネルをコンクリート建築物の躯体に施工した状態で示す平断面図および外断熱用パネルのみの平断面図である。
この外断熱用パネルは、コンクリート建築物のコンクリート躯体表面に取り付けることで通気層を備えた外断熱施工と、外装下地材の取り付けとを同時に行うことができる外断熱用パネルとして用いられたり、コンクリート建築物のコンクリート躯体を構築する場合の型枠として用いられ、内型枠と組み立てコンクリートを打設した後そのまま残すことで、コンクリート躯体表面に外装下地材および通気層を備えた断熱用パネルを取り付けた状態とすることができる型枠兼用の外断熱用パネルとして用いることもできるものである。
例えば図１（ａ）に示すように、既設のコンクリート躯体１の表面に上下・左右に並べて外断熱用パネル１０を取り付け、断熱パネル１１に形成した通気用溝１２を覆う外装下地層１３の屋外側にモルタルを直接塗布したり、メッシュなどを介してモルタルを塗布したモルタル部２を施工し、このモルタル部２に必要に応じて塗装部３を設ける湿式外断熱工法用のパネルとして使用される。
【００２６】
この外断熱用パネル１０は、例えば図１（ｂ）に示すように、硬質発泡プラスチック、例えば発泡ポリスチレン（ＥＰＳ，ＸＰＳ）の断熱パネル１１と、この硬質発泡プラスチックの断熱パネル１１の屋外側表面に開口して形成した通気用溝１２を覆って熱融着すること（熱融着層１４）で取り付けられるスチレンペーパ１３とを備えて構成され、スチレンペーパ１３が外装下地層となるようにしてある。この断熱パネル１１の屋外側表面に開口して形成される通気用溝１２は、例えば上下方向に沿う縦通気用溝１２ａとして複数本形成される。
【００２７】
この外断熱用複合パネル１０を構成する硬質発泡プラスチックの断熱パネル１１は、断熱効果の高い熱可塑性樹脂や熱硬化性樹脂素材で形成された発泡プラスチックのパネルで、上記の発泡ポリスチレンのほか、例えばポリウレタンフォーム、ポリエチレンフォーム、ポリプロピレンフォーム、フェノールフォームなどを用いることができるが、外断熱工法としてコンクリートの躯体外表面に取り付けられることから、コンクリートに含まれる湿度分を透過させることができる、透湿性に優れたものが好ましく、金型成形により通気用溝１２の溝加工が容易な硬質ポリスチレンフォームのビーズ法によるものが好ましい。
このビーズ法の硬質ポリスチレンフォームによれば、水は通さないが、湿流（水蒸気や湿度分）は通し、その透湿係数は、６０〜２００ｎｇ／ｍ２ｓＰａ程度であり、コンクリートの透湿係数が１５〜３０ｎｇ／ｍ２ｓＰａであるのに比べ、透湿性に優れる。
【００２８】
また、断熱パネル１１の屋外側の表面に開口して形成する通気用溝１２は、上下方向の縦通気用溝１２ａを複数本形成して構成する場合に限らず、たとえば図２に示すように，縦通気用溝１２ａに加えて横通気用溝１２ｂを形成して通気用溝１２を構成したり、図３に示すように、縦通気用溝１２ａに加えて横通気用溝１２ｂおよび斜め通気用溝１２ｃを形成して通気用溝１２を構成しても良い。  
このような縦方向の通気用溝と横方向の通気用溝の組合わせ、縦方向の通気用溝と斜め方向の通気用溝の組合わせ、縦方向の通気用溝と横方向の通気用溝と斜め方向の通気用溝の組み合わせのいずれかで通気用溝１２を構成することで、断熱パネル１１を施工上の都合から切断して使用しても通気用溝１２を連通することができ、特に窓などの開口部で上端が塞がれた状態で施工する場合でも通気性を確保することが可能となる。
【００２９】
この硬質発泡プラスチックの断熱パネル１１の通気用溝１２は、開口部を塞ぐようにスチレンペーパ１３で覆われ、断熱パネル１１の表面に熱融着されて熱融着層１４で固定される。こうすることで、通気用溝１２が形成された屋外側表面に塗料やモルタルなどの湿式の外装材を施工しても通気用溝１２が閉塞されたり、狭められることがなく、通気性を確保することができるとともに、直接塗布されるモルタルやメッシュを介して塗布されるモルタルによるモルタル部２の接着性を高めることができる。  
また、断熱パネル１１を発泡ポリスチレンとし、通気用溝１２を塞ぐ外装下地層をスチレンペーパ１３とすることで、同一素材による熱融着強度を確保することができるとともに、加熱することで簡単に取り付けることができ、金型にスチレンペーパをセットして予備発泡した発泡ポリスチレンビーズを充填して加熱することで、通気用溝１２を備えた断熱パネル１１の成形と、通気用溝１２を塞ぐスチレンペーパ１３の取り付けとを一工程の成形で行うことができる。
なお、このスチレンペーパ１３は、図１（ａ），（ｂ）に示すように、断熱パネル１１の全面を覆うように設ける場合に限らず、図４に示すように、各通気用溝１２をそれぞれ覆うようにテープ状のスチレンペーパ１３Ａを設けて熱融着するようにしても良い。
【００３０】
また、通気用溝１２の横断面形状は、図１〜図４に示す矩形状とする場合に限らず、図５に示すように、開口部側が逆テーパ状に狭くなった略台形状の通気用溝１２Ａとしたり、図６（ｃ）に示す略楕円形状の通気用溝１２Ｂとすることもできるほか、図示しない略円形状とするなど他の断面形状であっても良い。
【００３１】
この外断熱用パネル１０の断熱パネル１１の通気用溝１２の開口部を塞ぐため熱融着するスチレンペーパ１３としては、ポリスチレン樹脂に発泡剤を混練させ加熱押出成形することにより気泡を生成させてつくられたシートがよく、厚さが０．５〜３ｍｍ、密度が８０〜１２０ｋｇ／ｍ3のものを挙げることができ、表面をパンチングによる凹凸あるいはバフ掛けなどの表面処理を施して表面を荒らした方が接着力が向上する。また、モルタルに水性エポキシを使用することで一層モルタルの接着力を向上できる。
なお、スチレンペーパの仕様の評価は、通気用溝の溝幅が２０〜３０ｍｍ、溝深さが１０ｍｍの矩形断面のものに対して行ったものであり、スチレンペーパの外側面にモルタル部としてモルタル、水性エポキシモルタル、樹脂エマルジョンモルタルなどを厚さ１０ｍｍ塗布した。
【００３２】
このような外断熱用パネル１０によれば、断熱パネル１１の屋外側表面に開口させて通気用溝１２を形成し、この通気用溝１２を覆って断熱パネル１１にスチレンペーパ１３を熱融着して外装下地層としたので、通気用溝１２で通気層を確保でき、これを覆うスチレンペーパ１３で塗料やモルタルなどが溝１２に入り込むことを防止して湿式外装材を施工することが可能となり、しかもスチレンペーパ１３を熱融着することで発泡プラスチックの断熱パネル１１への取り付けも簡単にできる。
この外断熱用パネル１０をコンクリート躯体１に取り付けて用いることで、従来の通気層のない湿式外断熱工法と同一の施工方法で施工でき、新しい施工技術を必要とせず、しかも通気用溝１２で通気層を設けることができるので、モルタルや塗料などの湿式外装材の透湿抵抗による選択の必要がなく、寒冷地での施工でも結露や凍害の問題が生じることがない。
【００３３】
また、この外断熱用パネル１０によれば、断熱パネル１１を発泡スチレンビーズで構成するとともに、スチレンペーパ１３に０．５〜２．０ｍｍの孔を形成して構成したので、通気用溝１２を形成する型内にスチレンペーパ１３をセットし、予備発泡したスチレンビーズを充填し、加熱して一体化する場合などにスチレンペーパ１３に形成した孔によって蒸気を通過させることができ、スチレンペーパ１３で溝１２の開口を塞いだ通気用溝１２を備える外断熱用パネル１０を一工程で簡単に成形することができる。
【００３４】
さらに、この外断熱用パネル１０によれば、断熱パネル１１の通気用溝１２を覆うスチレンペーパ１３を、各通気用溝１２を覆うテープ状のスチレンペーパ１３Ａまたは断熱パネル１１の全面を覆うシート状のスチレンペーパ１３で構成したので、通気用溝１２を覆うスチレンペーパ１３，１３Ａがテープ状やシート状のいずれであっても通気用溝１２が塗料やモルタルなどで塞がれることを防止することができ、外断熱用パネル１０に通気層を確保することができる。
【００３５】
また、この外断熱用パネル１０によれば、通気用溝１２の断面形状を、略矩形１２、略台形１２Ａ、略楕円形１２Ｂ、略円形のいずれかとしたので、いずれによっても外断熱用パネル１０に通気性を確保することができるとともに、特にスチレンペーパ１３で塞ぐ開口幅を小さくできる略台形１２Ａ、略楕円形１２Ｂや略円形とすることで、スチレンペーパ１３が溝部分で撓むことを一層確実に防止することができる。
【００３６】
さらに、この外断熱用パネル１０によれば、通気用溝１２が、外壁施工時に少なくとも縦方向に配置される縦通気用溝１２ａとともに、横方向に配置される横通気用溝１２ｂおよび／または斜め方向に配置される斜め通気用溝１２ｃを形成して構成したので、縦方向と横方向の組合わせによる通気用溝１２ａ，１２ｂ、縦方向と斜め方向の組み合わせによる通気用溝１２ａ，１２ｃ、縦方向と横方向と斜め方向の組み合わせによる通気用溝１２，１２ａ，１２ｂ，１２ｃのいずれ通気用溝１２によっても、窓などの開口部がコンクリート躯体１の外壁面にあっても通気用溝１２を連通させて外断熱用パネル１０を配置することができるとともに、外断熱用パネル１０を切断して繋ぎ合わせて施工する場合でも通気用溝１２を連通させて通気性を確保することができる。
【００３７】
なお、上記実施の形態では、外断熱用パネル１０の断熱パネル１１の通気用溝１２の開口部を塞ぐためスチレンペーパ１３を用い、熱融着することで取り付けるようにしたが、参考例としてスチレンペーパ１３に替え、ガラスメッシュを断熱パネルに接着して外装下地層とすることもできる。 この場合、ガラスメッシュの目の粗さによってモルタルが通気用溝内に漏れ出すことになるため、モルタルの漏れ出しが生じないものを使用すれば良く、例えば厚さが０．２〜０．３５ｍｍ、格子の大きさが０．５×０．５〜２ｍｍのものを挙げることができる。
また、ガラスメッシュにエポキシまたはウレタン接着剤を塗布して使用する場合には、厚さが０．３５ｍｍ、格子の大きさが１．５×１．５〜１０×１０ｍｍのものに３０〜３００ｇ／ｍ2 のエポキシまたはウレタン接着剤を塗布したものを挙げることができる。
さらに、エポキシまたはウレタン接着剤を塗布するのに替え、ガラスメッシュにポリプロピレン不織布を熱融着することで、モルタルの漏れ出しが生じないようにしたものも使用することができ、例えば厚さが０．３ｍｍ、格子の大きさが５×５ｍｍのものに目付１６ｇ／ｍ2 以上のポリプロピレン不織布を熱融着したものを挙げることができる。
なお、ガラスメッシュの仕様の評価は、通気用溝の溝幅が１０〜３０ｍｍ、溝深さが１０ｍｍの矩形断面のものに対して行ったものである。
このような参考例の外断熱用パネルによっても、ガラスメッシュの接着によって通気用溝に湿式外装材が入り込むことを防止することができ、通気用溝を備えた外断熱施工をすることができる。
【００３８】
次に、この発明の外断熱用パネルの他の参考例について、図６により説明する。
この外断熱用パネル１０Ａは、図６に示すように、外装下地層のスチレンペーパに替えて、外装下地層１５を発泡スチレンとして、発泡スチレンの断熱パネル１１と同一材による一体に構成し、通気用溝１２を発泡スチレン１１，１５の内部に形成し、断熱パネル１１の屋外側表面を構成する外装下地層１５を断熱パネル１１の一部として兼用してある。
この外断熱用パネル１０Ａによっても、断熱パネル１１，１５の内部に通気用溝１２を形成し、断熱パネル１１の屋外側表面を構成する外装下地層１５とすることで、通気用溝１２を備えた一体の外断熱用パネルとすることができ、これによっても湿式外装材による外断熱工法を施工することができ、一体構造とすることで、金型成形により寸法管理なども容易となり、施工精度を向上することができる。
なお、この外断熱用パネル１０Ａの場合も、通気用溝１２は矩形断面とする場合に限らず、図６（ｂ）に示すように、略台形状１２Ａや図６（ｃ）に示すように、略円形乃至略楕円形１２Ｂであっても良く、縦通気用溝に限らず、横通気用溝、および／または斜め通気用溝を組み合わせたものであっても良い。
【００３９】
この外断熱用パネル１０Ａの場合の断熱パネル１１と一体の通気用溝１２の外側部分の外装下地層１５の厚さは、少なくとも通気用溝１２がつぶれることなくモルタル部３の施工ができれば良く、例えば通気用溝１２の溝幅が２０ｍｍの矩形断面の場合には、少なくとも厚さが２ｍｍ以上必要であり、通気用溝１２が溝幅１６ｍｍの台形断面や直径乃至長径が１０ｍｍの円形乃至楕円形断面の場合には、厚さが１ｍｍ以上あれば良い。  
外装下地層１５の厚さが１ｍｍより薄くなると、スチレンビーズが金型内に隙間なく充填されなくなり、厚すぎると、無駄になる。
【００４０】
このような外断熱用パネル１０Ａは、金型内に通気用溝に相当する中子をセットし、スチレンビーズを充填加熱発泡させた後、中子を取り外すことで成形できるほか、断熱パネル１１と外装下地層１５とを一体とした硬質発泡プラスチックパネルを用意し、ドリルなどで通気用溝に相当する貫通孔を形成することで製造することもでき、或いは、図１に示すような外断熱パネル１０の外装下地材１３として断熱パネル１１と同一材の硬質発泡プラスチックを貼り付けて形成することもでき、硬質発泡プラスチックとしては、例えば押出発泡スチレン（ＸＰＳ）、ビーズ法ポリスチレンフォーム（ＥＰＳ）、硬質ウレタンフォーム、フェノールフォーム、発泡ポリエチレンなどを挙げることができる。
【００４１】
なお、上記実施の形態では、外断熱用パネルを既設のコンクリート壁面に取り付ける場合を例に説明したが、コンクリード打設用の型枠と兼用して用いる型枠兼用パネルとして使用することもでき、この場合には、１回の打設高さ分の上下方向に長い外断熱用パネルとして用いることで、横目地部を減少させて施工を容易とすることができる。さらに、外断熱用パネルの連結される目地部に段差部を形成して噛み合わせるようにして連結するようにすれば、打設されるコンクリートののろなどの漏洩を防止して簡単に施工することができる。
【図面の簡単な説明】
【００４２】
【図１】この発明の外断熱用パネルの製造方法の一実施の形態にかかり、製造された外断熱用パネルをコンクリート建築物の躯体に施工した状態で示す平断面図および外断熱用パネルのみの平断面図である。
【図２】この発明の外断熱用パネルの製造方法の他の一実施の形態にかかる製造された外断熱用パネルの横断面図およびＢ−Ｂ矢視図である。
【図３】この発明の外断熱用パネルの製造方法のさらに他の一実施の形態にかかる製造された外断熱用パネルの横断面図およびＢ−Ｂ矢視図である。
【図４】この発明の外断熱用パネルの製造方法の他の一実施の形態にかかる製造された外断熱用パネルの横断面図である。
【図５】この発明の外断熱用パネルの製造方法のそれぞれさらに他の一実施の形態にかかる製造された外断熱用パネルの横断面図である。
【図６】外断熱用パネルの参考例にかかり、コンクリート建築物の躯体に施工した状態で示す平断面図および外断熱用パネルのみの平断面図である。
【００４３】
１０，１０Ａ                    外断熱用パネル
１１                            硬質発泡プラスチックの断熱パネル
１２                            通気用溝
１２Ａ                          略台形状の通気用溝
１２Ｂ                          略楕円形状の通気用溝
１２ａ                          縦通気用溝
１２ｂ                          横通気用溝
１２ｃ                          斜め通気用溝
１３                            スチレンペーパ（外装下地層）
１３Ａ                          テープ状のスチレンペーパ
１４                            熱融着層
１５                            外装下地層（断熱パネル一体）
１                              コンクリート躯体
２                              モルタル部（湿式外装材）
３                              塗装部（湿式外装材）
【図１】
0005360641.tif 000002
【図２】
0005360641.tif 000003
【図３】
0005360641.tif 000004
【図４】
0005360641.tif 000005
【図５】
0005360641.tif 000006
【図６】
0005360641.tif 000007